(57)【要約】【課題】鋳型長辺フレームから銅板や冷却箱を取り外す際に、幅可変用アクチュエータを取り外す必要がなく、且つ鋳型の厚みを変更した際にも容易にかつ速やかに幅可変用アクチュエータの中心を鋳型の中心と一致させることができる連続鋳造用鋳型を提供する。【解決手段】固定フレーム１に取り付けられた固定側の鋳型長辺フレーム２と可動側の鋳型長辺フレーム３よりなる一対の鋳型長辺フレームと、鋳型長辺フレーム２，３に挟まれた対向する一対の鋳型短辺フレーム４を備え、鋳型短辺フレーム４が短辺幅可変用アクチュエータ５に連結されている連続鋳造用鋳型において、短辺幅可変用アクチュエータ５を固定フレーム１に立設した支持フレーム７に固定側長辺フレーム２の方向にスライド可能に設置する。【選択図】図１
2006181594.tif 000002
【特許請求の範囲】
【請求項１】
固定フレームに対向して取り付けられた固定側の鋳型長辺フレームと可動側の鋳型長辺フレームよりなる一対の鋳型長辺フレームと、該鋳型長辺フレームの間に挟まれた対向する一対の鋳型短辺フレームを備え、鋳型短辺フレームが短辺幅可変用アクチュエータに連結されている連続鋳造用鋳型において、
前記短辺幅可変用アクチュエータを固定フレームに立設した支持フレームに固定側の長辺フレームの方向にスライド可能に設置したことを特徴とする連続鋳造用鋳型。
【請求項２】
鋳型短辺フレームの上下に前記短辺幅可変用アクチュエータがそれぞれ連結され、各短辺幅可変用アクチュエータに固定されたそれぞれのガイド軸がひとつのスライド装置により支持フレームに摺動自在に支持されていることを特徴とする請求項１記載の連続鋳造用鋳型。
【発明の詳細な説明】
【技術分野】
【０００１】
本発明は、鋳型短辺フレームと鋳型長辺フレームからなる鋳型の厚みおよび幅を変更することができる連続鋳造用鋳型に関するものである。
【背景技術】
【０００２】
冷却箱を有する鋳型長辺フレームで鋳型短辺フレームを挟むようにして形成した鋼の連続鋳造用鋳型において、各種幅の鋳片に対応可能とするため、鋳型短辺フレームを幅方向に移動自在にした連続鋳造用鋳型が知られている（特許文献１参照）。
【０００３】
図４は前記公報に示す従来の連続鋳造用鋳型の概略図である。図４において、固定フレーム２１に固定された固定側の鋳型長辺フレーム２２と鋳型の厚み方向に移動可能な自由側の鋳型長辺フレーム２３よりなる一対の鋳型長辺フレーム、これらの鋳型長辺フレーム２２，２３の間に挟まれた一対の鋳型短辺フレーム２４とにより鋳型が構成されている。鋳型短辺フレーム２４には鋳型短辺フレーム２４を幅方向に移動させる幅可変用アクチュエータ２５が連結されている。
【０００４】
幅可変用アクチュエータ２５は、固定側の鋳型長辺フレーム２２の冷却箱を貫通するガイド軸２６に幅可変用アクチュエータ２５の取り付けブラケット２７を連結することにより支持され、ガイド軸２６はジャッキ２８により厚み方向に移動可能となっている。
【０００５】
この連続鋳造用鋳型では、鋳片の厚みを変更した際、幅可変用アクチュエータ２５に偏荷重が掛からないよう、幅可変用アクチュエータ２５を固定側の鋳型長辺フレーム２２を貫通して設置したガイド軸２６により安定して保持することができるので、厚みが変更されてもジャッキ２８でガイド軸２６をシフトさせて鋳型のセンターに幅可変用アクチュエータ２５のセンターを鋳型のセンターに合わせることができる。
【特許文献１】特開２００４−１０６０４２号公報
【発明の開示】
【発明が解決しようとする課題】
【０００６】
前記の固定側の鋳型長辺フレーム２２には幅可変用アクチュエータ２５が支持されるとともに、銅板２２ａも張り付けられている。この銅板２２は鋳型を使用しているうちに、摩耗したり傷が発生したり熱により変形するので、定期的に表面を再切削したり、再メッキする必要がある。
【０００７】
銅板の再切削、再メッキの際、通常は鋳型を使用する工場外に運び出すため、銅板を取り外す場合、幅可変用アクチュエータも取り外さなければならず、この取り外し、再切削・メッキ後の再取り付け作業には多大な労力及び時間を要していた。
【０００８】
また、鋳型長辺フレームの冷却箱を取り外す際にも、冷却箱にガイド軸が貫通しているので、幅可変用アクチュエータを取り外さなくてはならなかった。
【０００９】
そこで本発明は、鋳型長辺フレームから銅板や冷却箱を取り外す際に、幅可変用アクチュエータを取り外す必要がなく、且つ鋳型の厚みを変更した際にも容易にかつ速やかに幅可変用アクチュエータの中心を鋳型の中心と一致させることができる連続鋳造用鋳型を提供するものである。
【課題を解決するための手段】
【００１０】
本発明は、幅可変用アクチュエータの取り付けブラケットを鋳型長辺フレームではなく、鋳型長辺フレームの冷却箱が上架される固定フレームにスライド自在に取り付けることにより、鋳型長辺フレームから銅板や冷却箱を取り外す際に、幅可変用アクチュエータを取り外す必要がなく、且つ鋳型の厚みを変更した際にも容易にアクチュエータの中心を短辺の中心と一致させることができるるようにする。
【００１１】
具体的には、固定フレームに対向して取り付けられた固定側の鋳型長辺フレームと可動側の鋳型長辺フレームよりなる一対の鋳型長辺フレームと、該鋳型長辺フレームの間に挟まれた対向する一対の鋳型短辺フレームを備え、鋳型短辺フレームが短辺幅可変用アクチュエータに連結されている連続鋳造用鋳型において、前記短辺幅可変用アクチュエータを固定フレームに立設した支持フレームに固定側長辺フレームの方向にスライド可能に設置したことを特徴とする。
【００１２】
一対の短辺幅可変用アクチュエータを鋳型短辺フレームの上下にそれぞれ連結し、各幅可変用アクチュエータに固定されたそれぞれのガイド軸をひとつのスライド装置により支持フレームに摺動自在に支持する構成とすることができる。
【発明の効果】
【００１３】
本発明は、幅可変用アクチュエータを鋳型長辺フレームではなく、鋳型長辺フレームが上架される固定フレームにスライド自在に取り付けることにより、鋳型短辺フレームから銅板や冷却箱を取り外す際に、冷却箱から幅可変用アクチュエータを取り外す必要がなくなり、労務費・整備時間の短縮が可能となる。また、鋳型の厚みを変更した際にもスライド装置により容易に幅可変用アクチュエータのセンターを鋳型のセンターと一致させることができる。
【発明を実施するための最良の形態】
【００１４】
本発明の実施例について図を参照しながら説明する。
【実施例】
【００１５】
図１は本発明の鋳型を示す平面図、図２は図１に示す鋳型の要部の正面図、図３は図１に示す鋳型の側面図である。
【００１６】
固定フレーム１には、固定側の鋳型長辺フレーム２の両端が上架され固定される。自由側の鋳型長辺フレーム３の両端は鋳型の厚み方向に移動可能に載置されている。固定側の長辺フレーム２と自由側の長辺フレーム３の間には対向する一対の鋳型短辺フレーム４が挟持されて各フレーム２，３，４で鋳型が形成される。
【００１７】
鋳型長辺フレーム２，３は、銅板２ａ，３ａ、電磁撹拌コイル及び冷却箱（図示せず）を備えている。
【００１８】
鋳型短辺フレーム４には、上下にそれぞれ幅可変用アクチュエータ５が連結され、幅可変用アクチュエータ５は固定フレーム１に載置されている。鋳型短辺フレーム４は幅可変用アクチュエータ５により鋳型の幅方向に移動する。
【００１９】
幅可変用アクチュエータ５は移動フレーム６に固定支持され、移動フレーム６には固定フレーム１に立設された支持フレーム７のブッシュ８をスライドするスライド軸９が固定されている。スライド軸９はスライド装置１０により前進あるいは後進する。スライド装置１０としては、位置調整用の油圧シリンダー又はモータ付きウオームジャッキを取り付け、遠隔操作でも厚み方向位置決め可能とすることができる。なお、スライド軸９の断面は丸形、あるいは角形でもよい。
【００２０】
自由側の鋳型長辺フレーム３を移動させて厚みを変更し、鋳型短辺フレームを交換した後、スライド装置１０によりスライド軸９を前進あるいは後進させて幅可変用アクチュエータ５を支持する移動フレーム６を移動させて、鋳型短辺フレーム４の幅に応じて幅可変用アクチュエータ５の中心を鋳型の中心と一致させる。
【００２１】
本実施例において、保守点検等で固定側の鋳型長辺フレーム２，３の銅板２ａ，３ａや冷却箱を取り外す必要がある場合に、幅可変用アクチュエータ５は固定フレーム１に載置されているので、幅可変用アクチュエータ５を取り外すことなく作業を行うことができる。そのため、従来の幅可変用アクチュエータ５が固定側の鋳型長辺フレーム２，３に設けられたものに比べて作業に多大な労力を及び時間を必要としなくなる。
【００２２】
また、鋳型短辺フレーム４を交換した場合、幅可変用アクチュエータ５に固定されたスライド軸９をスライド装置１０で前進あるいは後進させることにより幅可変用アクチュエータ５の中心を鋳型の中心に速やかに一致させることができる。
【図面の簡単な説明】
【００２３】
【図１】本発明の連続鋳造用鋳型を示す平面図である。
【図２】図１に示す連続鋳造用鋳型の要部の正面図である。
【図３】図１に示す連続鋳造用鋳型の側面図である。
【図４】従来の連続鋳造用鋳型を示す平面図である。
【符号の説明】
【００２４】
１：固定フレーム
２：固定側の鋳型長辺フレーム
２ａ：銅板
３：可動側の鋳型長辺フレーム
３ａ：銅板
４：鋳型短辺フレーム
５：幅可変用アクチュエータ
６：移動フレーム
７：支持フレーム
８：ブッシュ
９：スライド軸
１０：スライド装置
１１：固定ブラケット
２１：固定フレーム
２２：固定側の鋳型長辺フレーム
２３：自由側の鋳型長辺フレーム
２４：鋳型短辺フレーム
２５：幅可変用アクチュエータ
２６：ガイド軸
２７：取り付けブラケット
２８：ジャッキ
【図１】
2006181594.tif 000003
【図２】
2006181594.tif 000004
【図３】
2006181594.tif 000005
【図４】
2006181594.tif 000006